(57)【特許請求の範囲】
【請求項１】
複数のディスクが厚み方向に並べて保持されるディスク収納部と、このディスク収納部内のいずれかのディスクの中から選択されたディスクに対して情報の再生および／または記録を行う駆動ユニットと、この駆動ユニットを前記選択ディスクを駆動する駆動位置といずれのディスクも駆動しない退避位置との間で前後進させるドライブ駆動機構とを備えたチェンジャ型ディスク装置において、
前記駆動ユニットが駆動位置に移動しているときに、前記選択ディスク以外の前記ディスク収納部に保持されている待機ディスクの外周縁に圧接し、該待機ディスクを径方向外側から前記ディスク収納部へ向けて押圧する押圧部材を設け、前記駆動ユニットが駆動位置から退避位置に移動するときに、前記ドライブ駆動機構の動作に伴って前記押圧部材が前記待機ディスクの外周縁から離反するように構成したことを特徴とするチェンジャ型ディスク装置。
【請求項２】
請求項１の記載において、前記押圧部材の前記待機ディスクの外周縁と対向する面に複数のテーパ溝を設け、前記駆動ユニットが駆動位置に移動しているときに、これらテーパ溝を前記ディスク収納部に残っている各待機ディスクの外周縁に圧接させることにより、これら待機ディスクを厚み方向に位置規制するようにしたことを特徴とするチェンジャ型ディスク装置。
【請求項３】
請求項１の記載において、前記押圧部材は合成樹脂からなり、前記待機ディスクの外周縁に圧接する押圧部が撓み可能に一体形成されていることを特徴とするチェンジャ型ディスク装置。
【請求項４】
請求項１の記載において、前記選択ディスクを前記ディスク収納部から前記駆動位置にある駆動ユニットで駆動可能となるプレイ位置まで引き出すディスク移送手段が設けられていることを特徴とするチェンジャ型ディスク装置。
【請求項５】
請求項４の記載において、前記ディスク収納部が、ディスクを保持する複数のストッカと、これらストッカをディスクの厚み方向へ昇降動作するストッカ駆動手段とを備え、前記ディスク移送手段が、所定の昇降位置にある前記ストッカから前記選択ディスクを前記プレイ位置に引き出すようにしたことを特徴とするチェンジャ型ディスク装置。
【請求項６】
請求項５の記載において、前記ストッカ駆動手段が、不等ピッチの螺旋状溝を有する複数本の送りねじ部材と、これら送りねじ部材を同期回転する駆動歯車とを備え、前記ストッカが前記螺旋状溝に係合して前記送りねじ部材の軸線方向に昇降動作するようにしたことを特徴とするチェンジャ型ディスク装置。
【請求項７】
請求項５の記載において、前記押圧部材は、ディスクの厚み方向において前記選択ディスクよりも一方側に位置する前記ストッカに保持された待機ディスクの外周縁に接離可能な第１の押圧部材と、前記選択ディスクよりも他方側に位置するストッカに保持された待機ディスクの外周縁に接離可能な第２の押圧部材とを備え、前記駆動ユニットが駆動位置に移動しているときに、前記第１および第２の押圧部材が前記ストッカに残っている全ての待機ディスクの外周縁に圧接するようにしたことを特徴とするチェンジャ型ディスク装置。
【請求項８】
請求項７の記載において、前記第１の押圧部材は前記駆動ユニットに係合可能な駆動部を有し、該駆動ユニットが前記退避位置にあるときに前記駆動部が前記駆動ユニットに係合して前記第１の押圧部材が前記待機ディスクから離反した状態に位置規制されることを特徴とするチェンジャ型ディスク装置。
【請求項９】
請求項７の記載において、前記第２の押圧部材は前記ドライブ駆動機構に係合可能な係合部を有し、該ドライブ駆動機構により前記駆動ユニットが駆動位置から退避位置へ移動するときに前記係合部が前記ドライブ駆動機構に係合して前記第２の押圧部材が前記待機ディスクから離反するようにしたことを特徴とするチェンジャ型ディスク装置。
【請求項１０】
筐体と、該筐体に対してディスクを挿入および排出するための挿入口を有し前記筐体の前面に配設されるノーズ部材と、前記筐体内の後方側に設けられ複数のディスクが厚み方向に並べて保持されるディスク収納部と、前記挿入口と前記ディスク収納部との間でディスクを搬送するディスク移送手段と、前記ノーズ部材と前記ディスク収納部との間に移動可能に配置され前記ディスク移送手段によって前記ディスク収納部からプレイ位置に引き出された選択ディスクに対して情報の再生および／または記録を行う駆動ユニットと、この駆動ユニットを前記プレイ位置に引き出された選択ディスクを駆動可能な駆動位置といずれのディスクも駆動しない退避位置との間で前後進させるドライブ駆動機構とを備えたチェンジャ型ディスク装置において、
前記駆動ユニットが駆動位置に移動しているときに、選択ディスク以外の前記ディスク収納部に保持されている待機ディスクの外周縁に圧接し、該待機ディスクを径方向外側から前記ディスク収納部へ向けて押圧する押圧部材を設け、前記駆動ユニットが駆動位置から退避位置に移動するときに、前記ドライブ駆動機構の動作に伴って前記押圧部材が前記待機ディスクの外周縁から離反するように構成したことを特徴とするチェンジャ型ディスク装置。
【請求項１１】
請求項１０の記載において、前記ドライブ駆動機構には、前記駆動ユニットを前記筐体に対してダンパ部材を介して弾性的に支持する状態と前記筐体に対して固定的に支持する状態とに切替動作するドライブロック手段が設けられ、このドライブロック手段によって前記押圧部材が前記待機ディスクに圧接する位置と待機ディスクから離反する位置とに移動するようにしたことを特徴とするチェンジャ型ディスク装置。
【請求項１２】
請求項１１の記載において、前記ディスク収納部が、ディスクを保持する複数のストッカと、これらストッカをディスクの厚み方向へ昇降動作するストッカ駆動手段とを備え、前記ディスク移送手段が、所定の昇降位置にある前記ストッカから前記選択ディスクを前記プレイ位置に引き出すようにしたことを特徴とするチェンジャ型ディスク装置。
【請求項１３】
請求項１２の記載において、前記押圧部材は、ディスクの厚み方向において前記選択ディスクよりも一方側に位置する前記ストッカに保持された待機ディスクの外周縁に接離可能な第１の押圧部材と、前記選択ディスクよりも他方側に位置するストッカに保持された待機ディスクの外周縁に接離可能な第２の押圧部材とを備え、前記駆動ユニットが駆動位置に移動しているときに、前記第１および第２の押圧部材が前記ストッカに残っている全ての待機ディスクの外周縁に圧接するようにしたことを特徴とするチェンジャ型ディスク装置。
【請求項１４】
請求項１３の記載において、前記ドライブロック手段は、前記筐体に前後進可能に支持される一対のスライド部材と、これら両スライド部材を同期させて前後進させる連結機構とを備え、前記スライド部材が前後いずれか一方向に移動したときに前記駆動ユニットを前記筐体に対して弾性的に支持する状態とし、前記スライド部材が他方向に移動したときに前記駆動ユニットを前記筐体に対して固定的に支持する状態に切替動作すると共に、前記第１と第２の押圧部材が前記スライド部材または連結機構に結合してスライド部材の前記一方向への移動に伴ってこれら第１と第２の押圧部材が前記待機ディスクに圧接する方向に移動し、前記スライド部材の前記他方向への移動に伴って第１と第２の押圧部材が前記待機ディスクから離反する方向に移動するようにしたことを特徴とするチェンジャ型ディスク装置。
【請求項１５】
請求項１３の記載において、前記連結機構は、前記筐体に回動自在に支持され前記スライド部材に連結された回動アームを備え、該回動アームの回動動作により前記スライド部材が前後進すると共に、前記第１または第２の押圧部材がこの回動アームに係合して移動するようにしたことを特徴とするチェンジャ型ディスク装置。
【請求項１６】
請求項１３の記載において、前記筐体は第１および第２のシャーシが一体化されて形成され、前記第１のシャーシに少なくとも前記ストッカ駆動手段と前記第１の押圧部材を設けると共に、前記第２のシャーシに少なくとも前記ドライブ駆動機構と前記第２の押圧部材を設けたことを特徴とするチェンジャ型ディスク装置。
【発明の詳細な説明】
【０００１】
【発明の属する技術分野】
本発明は、ＣＤ（コンパクトディスク）やＤＶＤ（デジタルバーサタイルディスク）等のディスクに対して情報の再生および／または記録が可能で、かつ、装置内に複数枚のディスクを収納可能なチェンジャ型ディスク装置に係り、特に、挿入口から挿入されたディスクを所定位置へ自動搬送するスロットイン方式のチェンジャ型ディスク装置に関する。
【０００２】
【従来の技術】
車載用のチェンジャ型ディスク装置においては、挿入口から挿入されたディスクをディスク搬送機構によって所定位置へ自動搬送するスロットイン方式が多用されており、このようなチェンジャ型ディスク装置には、ディスクを回転駆動して光ピックアップ等により情報の再生および／または記録を行う駆動ユニットと、複数枚のディスクを厚み方向に並べて収納可能なディスク収納部とが備えられている。駆動ユニットはドライブ駆動機構によって駆動位置と退避位置の間を前後進するようになっており、この駆動位置でディスク収納部に保持されている複数のディスクのいずれかが選択的に引き出され、その選択ディスクが駆動ユニットによって回転駆動される。
【０００３】
従来より、このようなチェンジャ型ディスク装置において、ディスク収納部として複数のストッカを昇降可能に配設したものが知られている。かかるディスク収納部は、ディスクの外周縁を約半周に亘って保持可能な弓形形状のストッカと、不等ピッチの螺旋状溝を有する複数本の送りねじ部材とを備えており、積層状態に並べられた複数のストッカに各送りねじ部材を挿通して螺合させ、これら送りねじ部材を同期して回転させることにより、ディスクを保持する各ストッカが送りねじ部材の軸線方向に昇降可能となっている。
【０００４】
例えば、装置内へ挿入したディスクを所望のストッカに保持させる場合、そのストッカをディスクの搬送経路と同一高さに配置させてから、ディスクをディスク搬送機構によって装置の奥側へと搬送すれば、該ディスクを対応するストッカの内周部に保持させることができる。また、所望のストッカに保持されている選択ディスクをプレイ位置に引き出す場合は、そのストッカをディスクの搬送経路と同一高さに配置させてから、該ストッカに保持された選択ディスクを装置の手前側へ搬送すれば、該選択ディスクをストッカの内周部から取り出して駆動ユニットにクランプすることができる。なお、かかるストッカの内周部には、ディスクの外周縁をほぼ半周に亘って挿入可能な円弧状の保持溝が形成されており、この保持溝によってディスクは厚み方向と径方向に位置規制された状態で保持される。
【０００５】
【発明が解決しようとする課題】
上述した従来のチェンジャ型ディスク装置によれば、前後進可能な駆動ユニットを退避位置に配置させた状態でストッカの昇降動作を行わせ、駆動位置ではこの駆動ユニットがストッカに保持されているディスクとオーバーラップするように構成することができるため、装置内の空間を有効利用して小型化を図れるという利点がある。しかしながら、ストッカを送りねじ部材の螺旋状溝に係合して昇降動作するため、ストッカと螺旋状溝との間に微小クリアランスが必要となり、また、ストッカに保持されるディスクには製造上の寸法バラツキがあるため、ストッカの保持溝の内径寸法を予測される最大径のディスクが入り込める寸法に設定する必要がある。さらに、スロットイン方式のチェンジャ型ディスク装置では、挿入口からストッカまでのディスク搬送経路上に障害物を配置できないため、ストッカの保持溝をディスクの半周程度（約１８０°）までしか設けることができず、このストッカでディスクを充分に保持することが難しい。このような理由により、所望の選択ディスクをストッカから引き出してプレイ動作する際に、車両からの外部振動がチェンジャ型ディスク装置に加わると、ストッカに残されたの他の待機ディスクが振動してラットルノイズと呼ばれる異音が発生するという問題があった。プレイ動作でディスクに記録された音楽等を再生する場合において、かかるラットルノイズは非常に耳障りなものとなる。
【０００６】
本発明は、このような従来技術の実情に鑑みてなされたもので、その目的は、プレイ動作中に発生するラットルノイズを抑制することができるチェンジャ型ディスク装置を提供することにある。
【０００７】
【課題を解決するための手段】
本発明は、駆動ユニットをドライブ駆動機構によって駆動位置へ移動させて所望の選択ディスクをプレイ動作しているときに、ディスク収納部に残っている待機ディスクを押圧部材によって径方向外側からディスク収納部へ向けて押圧し、ドライブ駆動機構によって駆動ユニットを退避位置へ移動させるときに、該ドライブ駆動機構の動作に伴って押圧部材の待機ディスクへの圧接を解除するようにした。このように構成すると、ドライブ駆動機構の動作に伴って押圧部材をディスクの外周縁に圧接／解除することができるため、プレイ動作中にディスク収納部に残っている待機ディスクの外周縁に押圧部材を圧接することで、該待機ディスクから発生するラットルノイズを低減することができる。
【０００８】
【発明の実施の形態】
本発明のチェンジャ型ディスク装置では、複数のディスクが厚み方向に並べて保持されるディスク収納部と、このディスク収納部内のいずれかのディスクの中から選択されたディスクに対して情報の再生および／または記録を行う駆動ユニットと、この駆動ユニットを前記選択ディスクを駆動する駆動位置といずれのディスクも駆動しない退避位置との間で前後進させるドライブ駆動機構とを備えたチェンジャ型ディスク装置において、前記駆動ユニットが駆動位置に移動しているときに、前記選択ディスク以外の前記ディスク収納部に保持されている待機ディスクの外周縁に圧接し、該待機ディスクを径方向外側から前記ディスク収納部へ向けて押圧する押圧部材を設け、前記駆動ユニットが駆動位置から退避位置に移動するときに、前記ドライブ駆動機構の動作に伴って前記押圧部材が前記待機ディスクの外周縁から離反するように構成した。
【０００９】
このように構成したチェンジャ型ディスク装置では、ドライブ駆動機構によって駆動ユニットを駆動位置へ移動し、ディスク収納部に保持された複数のディスクの中から選択されたディスクを駆動するときに、ディスク収納部に残っている待機ディスクの外周縁に押圧部材が圧接されるため、該待機ディスクから発生するラットルノイズを低減することができる。また、駆動ユニットが退避位置に移動するときに、ドライブ駆動機構の動作に伴って押圧部材は待機ディスクの外周縁から離反するため、ディスクをディスク収納部に収納する場合や、ディスク収納部に収納されたディスクを選択する場合に、押圧部材によってディスクの動きが妨げられることはない。
【００１０】
上記の構成において、押圧部材の待機ディスクの外周縁と対向する面に複数のテーパ溝を設け、駆動ユニットが駆動位置に移動しているときに、これらテーパ溝をディスク収納部に残っている各待機ディスクの外周縁に圧接させることにより、これら待機ディスクを厚み方向に位置規制することが好ましく、押圧部材にこのようなテーパ溝を設けると、ディスク収納部に残っている各待機ディスクを径方向と厚み方向の両方に位置規制できるため、ラットルノイズをより効果的に低減することができる。
【００１１】
また、上記の構成において、押圧部材が合成樹脂からなり、待機ディスクの外周縁に圧接する押圧部が撓み可能に一体形成されていることが好ましい。
【００１２】
また、上記の構成において、選択ディスクをディスク収納部から駆動位置にある駆動ユニットで駆動可能となるプレイ位置まで引き出すディスク移送手段が設けられていることが好ましい。この場合において、ディスク収納部が、ディスクを保持する複数のストッカと、これらストッカをディスクの厚み方向へ昇降動作するストッカ駆動手段とを備え、ディスク移送手段が、所定の昇降位置にある前記ストッカから選択ディスクを前記プレイ位置に引き出すようにすることが好ましい。
【００１３】
また、上記の構成において、ストッカ駆動手段が、不等ピッチの螺旋状溝を有する複数本の送りねじ部材と、これら送りねじ部材を同期回転する駆動歯車とを備え、ストッカが螺旋状溝に係合して送りねじ部材の軸線方向に昇降動作するようにすることが好ましい。
【００１４】
また、上記の構成において、押圧部材が、ディスクの厚み方向において選択ディスクよりも一方側に位置するストッカに保持された待機ディスクの外周縁に接離可能な第１の押圧部材と、選択ディスクよりも他方側に位置するストッカに保持された待機ディスクの外周縁に接離可能な第２の押圧部材とを備え、駆動ユニットが駆動位置に移動しているときに、第１および第２の押圧部材がストッカに残っている全ての待機ディスクの外周縁に圧接するようにすることが好ましい。この場合、第１の押圧部材が駆動ユニットに係合可能な駆動部を有し、該駆動ユニットが退避位置にあるときに駆動部が駆動ユニットに係合して第１の押圧部材が待機ディスクから離反した状態に位置規制されるように構成することが好ましい。また、第２の押圧部材がドライブ駆動機構に係合可能な係合部を有し、該ドライブ駆動機構により駆動ユニットが駆動位置から退避位置へ移動するときに係合部がドライブ駆動機構に係合して第２の押圧部材が待機ディスクから離反するように構成することが好ましい。
【００１５】
また、本発明のチェンジャ型ディスク装置では、筐体と、該筐体に対してディスクを挿入および排出するための挿入口を有し前記筐体の前面に配設されるノーズ部材と、前記筐体内の後方側に設けられ複数のディスクが厚み方向に並べて保持されるディスク収納部と、前記挿入口と前記ディスク収納部との間でディスクを搬送するディスク移送手段と、前記ノーズ部材と前記ディスク収納部との間に移動可能に配置され前記ディスク移送手段によって前記ディスク収納部からプレイ位置に引き出された選択ディスクに対して情報の再生および／または記録を行う駆動ユニットと、この駆動ユニットを前記プレイ位置に引き出された選択ディスクを駆動可能な駆動位置といずれのディスクも駆動しない退避位置との間で前後進させるドライブ駆動機構とを備えたチェンジャ型ディスク装置において、前記駆動ユニットが駆動位置に移動しているときに、選択ディスク以外の前記ディスク収納部に保持されている待機ディスクの外周縁に圧接し、該待機ディスクを径方向外側から前記ディスク収納部へ向けて押圧する押圧部材を設け、前記駆動ユニットが駆動位置から退避位置に移動するときに、前記ドライブ駆動機構の動作に伴って前記押圧部材が前記待機ディスクの外周縁から離反するように構成した。
【００１６】
上記の構成において、ドライブ駆動機構には、駆動ユニットを筐体に対してダンパ部材を介して弾性的に支持する状態と筐体に対して固定的に支持する状態とに切替動作するドライブロック手段が設けられ、このドライブロック手段によって押圧部材が待機ディスクに圧接する位置と待機ディスクから離反する位置とに移動することが好ましい。
【００１７】
また、上記の構成において、ディスク収納部が、ディスクを保持する複数のストッカと、これらストッカをディスクの厚み方向へ昇降動作するストッカ駆動手段とを備え、ディスク移送手段が、所定の昇降位置にあるストッカから選択ディスクをプレイ位置に引き出すようにすることが好ましい。
【００１８】
また、上記の構成において、押圧部材が、ディスクの厚み方向において選択ディスクよりも一方側に位置するストッカに保持された待機ディスクの外周縁に接離可能な第１の押圧部材と、選択ディスクよりも他方側に位置するストッカに保持された待機ディスクの外周縁に接離可能な第２の押圧部材とを備え、駆動ユニットが駆動位置に移動しているときに、第１および第２の押圧部材がストッカに残っている全ての待機ディスクの外周縁に圧接することが好ましい。
【００１９】
また、上記の構成において、ドライブロック手段が、筐体に前後進可能に支持される一対のスライド部材と、これら両スライド部材を同期させて前後進させる連結機構とを備え、スライド部材が前後いずれか一方向に移動したときに駆動ユニットを筐体に対して弾性的に支持する状態とし、スライド部材が他方向に移動したときに駆動ユニットを筐体に対して固定的に支持する状態に切替動作すると共に、第１と第２の押圧部材がスライド部材または連結機構に結合してスライド部材の一方向への移動に伴ってこれら第１と第２の押圧部材が待機ディスクに圧接する方向に移動し、スライド部材の他方向への移動に伴って第１と第２の押圧部材が待機ディスクから離反する方向に移動するようにすることが好ましい。
【００２０】
また、上記の構成において、連結機構が、筐体に回動自在に支持されスライド部材に連結された回動アームを備え、該回動アームの回動動作によりスライド部材が前後進すると共に、第１または第２の押圧部材がこの回動アームに係合して移動するようにすることが好ましい。
【００２１】
また、上記の構成において、筐体は第１および第２のシャーシが一体化されて形成され、第１のシャーシに少なくともストッカ駆動手段と第１の押圧部材を設けると共に、第２のシャーシに少なくともドライブ駆動機構と第２の押圧部材を設けることが好ましい。
【００２２】
【実施例】
実施例について図面を参照して説明すると、図１はチェンジャ型ディスク装置の内部機構を省略して示す断面図、図２は第１のシャーシの内部機構を示す斜視図、図３はディスクのローディング開始状態を示す説明図、図４はディスクの収納状態を示す説明図、図５はディスクの引き出し状態を示す説明図、図６はディスクのプレイ状態を示す説明図、図７は送りねじ部材の側面図、図８はストッカの斜視図、図９は第１の押圧部材の斜視図、図１０は規制板の説明図、図１１は駆動ユニットの退避位置を示す平面図、図１２は駆動ユニットの駆動位置を示す平面図、図１３は第１の押圧部材とディスクの圧接解除状態を示す説明図、図１４は第１の押圧部材とディスクの圧接状態を示す説明図、図１５は第２のシャーシの内部機構を示す斜視図、図１６は第２のシャーシの内部機構を示す平面図、図１７は第２のシャーシの内部機構の一部を省略して示す平面図、図１８は第２の押圧部材とディスクの圧接解除状態を示す説明図、図１９は第２の押圧部材とディスクの圧接状態を示す説明図、図２０はドライブ駆動機構の動作説明図、図２１は駆動ユニットのクランプ解除状態を示す説明図、図２２は駆動ユニットのクランプ状態を示す説明図である。
【００２３】
本実施例に係るチェンジャ型ディスク装置は、外形寸法が８ｃｍのディスクＤ（小径ディスク）と１２ｃｍのディスクＤ（大径ディスク）をそれぞれ再生可能で、かつ、複数枚の大径ディスクＤを収納してそのうち１枚のディスクＤを選択的に再生可能なスロットイン方式のディスク再生装置である。
【００２４】
図１に示すように、このチェンジャ型ディスク装置は、箱形形状の筐体１と該筐体１の前面に配設されたノーズ部材２とを備えており、ノーズ部材２には挿入口２ａが開設されている。挿入口２ａは図示せぬドア部材によって開閉可能となっており、この挿入口２ａを介して筐体１に対しディスクＤの挿入および排出が行われる。筐体１は第１のシャーシ３と第２のシャーシ４とで構成されており、これら第１および第２のシャーシ３，４は複数本のネジを用いて一体化されている。上方の第１のシャーシ３にはディスク搬送機構５や筐体１の後方側に配置されるディスク収納部６が設けられ、下方の第２のシャーシ４には駆動ユニット７やドライブ駆動機構８が設けられており、後述するように、駆動ユニット７はドライブ駆動機構８によって筐体１内部の駆動位置と挿入口２ａ近傍の退避位置との間で前後進されるようになっている。
【００２５】
第１のシャーシ３は図２において天地逆に示されているが、同図に示すように、ディスク搬送機構（ディスク移送手段）５はディスクＤの搬送方向に対して直交する向きにスライド移動可能な第１および第２のガイド部９，１０を備えており、両ガイド部９，１０の間隔は、図示せぬ第１のモータや第１および第２のスライド板１１，１２等で構成されるガイド体間隔変更機構によって変更可能となっている。
【００２６】
図３〜図１２に示すように、第１のガイド部９は、ディスクＤの周縁部が挿入される溝部を有する複数の搬送プーリ１３と、この搬送プーリ１３に駆動力を付与する複数の駆動歯車１４とを備えており、駆動歯車１４は前述した第１のモータを駆動源として回転動作される。これら搬送プーリ１３と駆動歯車１４は列状に配置されて第１のスライド板１１に軸支されているが、最奥の搬送プーリ（符号１３ａを付す）の支軸だけはこの搬送プーリ１３ａと噛み合う駆動歯車１４の回転軸を中心に第１のスライド板１１に対して回転可能となっている。また、第１のスライド板１１には第１の受け部１１ａが形成されており、この第１の受け部１１ａは各搬送プーリ１３の下端（図２における図示上端）と略同等の高さ位置に設定されている。一方、第２のガイド部１０は長尺状の搬送ガイド体１５を有し、この搬送ガイド体１５にはディスクＤの搬送方向に沿って直線状に延びるガイド溝が形成されている。搬送ガイド体１５は第２のスライド板１２に固定されており、その下面（図２における図示上面）には第１の受け部１１ａと略同等の高さ位置に設定された第２の受け部１５ａが形成されている。なお、上記したように、第１のガイド部９と第２のガイド部１０、およびこれらガイド部９，１０に設けられた搬送プーリ１３（１３ａ）、駆動歯車１４、搬送ガイド体１５、また、第１および第２のスライド板１１，１２等により、挿入口２ａとディスク収納部６との間でディスクＤを搬送し、かつ、ディスク収納部６に保持された複数のディスクＤの中から選択されたディスクＤをプレイ位置まで引き出すディスク搬送機構（ディスク移送手段）５が構成されている。
【００２７】
これら第１および第２のガイド部９，１０は、搬送プーリ１３と搬送ガイド体１５との間にディスクＤを板厚方向と直交する向きに挟持し、駆動歯車１４から搬送プーリ１３に伝達される駆動力を該ディスクＤに付与することにより、該ディスクＤを挿入口２ａとプレイ位置間やプレイ位置とディスク収納部６間で搬送するようになっている。また、第１および第２のスライド板１１，１２をスライド移動させることにより、搬送プーリ１３と搬送ガイド体１５とを近接離反させることができるので、小径ディスクＤでも大径ディスクＤでも搬送することができる。さらに、第１および第２の受け部１１ａ，１５ａが各搬送プーリ１３の下端と略同等の高さ位置に設定されているため、図３から明らかなように、ディスクＤを挿入または排出するとき、搬送プーリ１３と搬送ガイド体１５との間から意図せずにディスクＤが落下するのを防止できるようになっている。
【００２８】
図２に戻り、前述したディスク収納部６について詳細に説明する。第１のシャーシ３の天面（図２における底面）には、リング状の大径歯車１６が配設されると共に、この大径歯車１６の中心位置に上部規制部材１７が固定されている。大径歯車１６は前述した第１のモータとは別の第２のモータ（図示せず）を駆動源として回転動作され、この大径歯車１６の回転量と回転方向が、この大径歯車１６と噛み合って回転するエンコーダ等からなる検出センサ１８によって検出されるようになっている（図１１参照）。大径歯車１６の外側には４本の送りねじ部材１９が配設されている。図７に示すように、各送りねじ部材１９にはそれぞれ小歯車２０が固設されており、これら小歯車２０は大径歯車１６に噛合している。これにより、大径歯車１６が正逆いずれかの方向へ回転すると、４本の送りねじ部材１９が全て同じ方向に同期回転される。各送りねじ部材１９には不等ピッチの螺旋状溝１９ａが刻設されており、この螺旋状溝１９ａは、上下両端部は等ピッチでピッチ幅が狭く設定されているが、中央部ではピッチ幅が広く設定されている。上記大径歯車１６と送りねじ部材１９および小歯車２０とにより、後述するストッカ２１を送りねじ部材１９の軸線方向に昇降動作するストッカ駆動手段が構成されている。
【００２９】
各送りねじ部材１９には複数（本実施例では６つ）のストッカ２１の孔２２が挿入されており、図８に示すように、これらストッカ２１は全体的に略弓形形状をしている。ストッカ２１には内部に凸部２１ａを有する４つの孔２２が開設されており、凸部２１ａは送りねじ部材１９の螺旋状溝１９ａに摺動可能に係合している。これにより、大径歯車１６によって各送りねじ部材１９が同期回転されると、ストッカ２１が送りねじ部材１９の軸線方向に昇降動作する。上記ストッカ駆動手段とストッカ２１は前述したディスク収納部６を構成するものであり、各ストッカ２１の半円弧状の内周面には複数の上部支持片２３ａと下部支持片２３ｂが中心方向に向けて突設されている。これら上部支持片２３ａと下部支持片２３ｂはストッカ２１の厚み方向へ位置ずれしており、この上部支持片２３ａと下部支持片２３ｂとの間がディスクＤを保持する保持溝として機能する。そして、ディスクＤの外周縁のほぼ半周が上部支持片２３ａと下部支持片２３ｂ間に保持されるようになっている。
【００３０】
再び図２に戻り、第１のシャーシ３の天面には緩衝防止部材２４と第１の押圧部材２５が近接して配設されており、この緩衝防止部材２４は大径歯車１６に噛合している。緩衝防止部材２４には突片２４ａが形成されており、この突片２４ａは大径歯車１６の回転に連動してディスクＤの搬送経路の若干上方を回転するようになっている。図６に示すように所望のディスクＤがプレイ位置に引き出されたとき、突片２４ａは該ディスクＤの上方で停止した状態となり、これによってプレイ動作中のディスクＤとその上方位置でストッカ２１に保持されたディスクＤとが衝突しないようになっている。
【００３１】
図９に示すように、第１の押圧部材２５は、第１のシャーシ３に軸支される支軸部２５ａと、支軸部２５ａから第１のシャーシ３の天面に沿って延びる平坦部２５ｂと、平坦部２５ｂの一側面から支軸部２５ａと反対方向へ延びる押圧部２５ｃと、平坦部２５ｂの他側面から支軸部２５ａと反対方向へ延びる駆動部２５ｄとを有しており、これら各部は可撓性を有する合成樹脂によって一体成形されている。薄肉の押圧部２５ｃには板ばね２６が組み込まれており、押圧部２５ｃ自体の撓みによる弾性力に板ばね２６の弾性力が付加されることによって、押圧部２５ｃに充分な弾性力が付与されるようになっている。また、押圧部２５ｃの自由端には、比較的硬質なゴム材等からなる規制板２７が両面接着テープ等を用いて固定されており、図１０に示すように、この規制板２７には複数のテーパ溝２７ａが形成されている。各テーパ溝２７ａの間隔は前述した螺旋状溝１９ａの上下両端部の等ピッチ部分と同じに設定されており、その数はストッカ２１よりも１つ少なく（実施例では５つ）形成されている。また、テーパ溝２７ａの底部の平坦面２７ｂの幅ｌは、ディスクＤの厚みより若干小さく設定されている。
【００３２】
このように構成された第１の押圧部材２５は、ドライブ駆動機構８が駆動ユニット７を退避位置と駆動位置との間で前後進させる際、ドライブ駆動機構８の構成部材に係合して支軸部２５ａを中心として回転動作される。この回転動作については後述するが、図１１に示すように、駆動ユニット７がいずれのディスクも駆動しない退避位置にあるとき、第１の押圧部材２５は同図の時計回り方向へ微小回転しており、規制板２７はストッカ２１に保持されたディスクＤの外周縁から離反している（図１３参照）。一方、図１２に示すように、駆動ユニット７が駆動位置へ移動したとき、第１の押圧部材２５は同図の反時計回り方向へ微小回転しており、規制板２７はディスクＤの搬送経路の上方位置にあるディスクＤの外周縁に圧接している（図１４参照）。これにより、所望の選択ディスクＤがプレイ位置に引き出されたとき、ディスクＤの厚み方向において選択ディスクＤの上方位置にある各待機ディスクＤは、第１の押圧部材２５の押圧部２５ｃと板ばね２６の弾発力を受けて径方向の外側からストッカ２１に向けて付勢され、該ディスクＤの振動によって発生するラットルノイズが低減されるようになっている。
【００３３】
図１５〜図１７に示すように、第２のシャーシ４には駆動ユニット７やドライブ駆動機構８が搭載されており、ドライブ駆動機構８は駆動ユニット７を上記ノーズ部材２とディスク収納部６との間で駆動位置と退避位置に前後進させると共に、プレイ位置に引き出されたディスクＤのクランプ動作等を行うようになっている。このドライブ駆動機構８はドライブシャーシ３０を備えており、ドライブシャーシ３０の四隅はダンパ部材３１とコイルばね（図示せず）を介して第２のシャーシ４に弾性的に支持されている。ただし、ドライブシャーシ３０の側方四箇所にロックピン３２が突設されており、これらロックピン３２が後述する一対のスライドカム板３３，３４によって第２のシャーシ４にロックされると、ドライブシャーシ３０は第２のシャーシ４に対して固定的に支持された状態となる。
【００３４】
図１８と図１９に示すように、第２のシャーシ４の底面には作動アーム３５と回動アーム３６が配設されており、これら作動アーム３５と回動アーム３６は欠歯歯車３７によって回転動作される。欠歯歯車３７には中継ギア３８が噛合しており、この中継ギア３８は第１のシャーシ３に設けられた第３のモータ（図示せず）を駆動源として回転する。第２のシャーシ４の底面には下部規制部材３９が立設されており、この下部規制部材３９と第１のシャーシ３に設けられた上部規制部材１７とは上下方向へ同軸的に配置されている。下部規制部材３９は上端に規制アーム３９ａを有し、この規制アーム３９ａは下部規制部材３９の内部に収納された図示せぬ切換え部材によって回動動作される。また、下部規制部材３９の内部には切換え部材を昇降動作するスクリュー軸（図示せず）が収納されており、作動アーム３５の先端に形成された扇形の歯部３５ａはこのスクリュー軸と噛合している。これにより、作動アーム３５の回転に伴って規制アーム３９ａが下部規制部材３９の上端で回動し、駆動ユニット７が退避位置にあるときは、規制アーム３９ａが起立して上部規制部材１７に当接し、各ストッカ２１に保持された全てのディスクＤの中心孔が上部規制部材１７と下部規制部材３９によって水平方向（前後方向）へ位置規制される。一方、駆動ユニット７が駆動位置に移動されたときは、規制アーム３９ａが倒されて上部規制部材１７と下部規制部材３９との間にディスクＤの搬送経路を確保するため、ストッカ２１に保持された所望の選択ディスクＤをプレイ位置に引き出したり、空のストッカ２１に新たなディスクＤを挿入したり、あるいはストッカ２１から挿入口２ａに向けてディスクＤを排出することが可能となる。
【００３５】
また、第２のシャーシ４の底面には第２の押圧部材４０が回動自在に配設されており、この第２の押圧部材４０は、第２のシャーシ４に軸支される支軸部４０ａと、第２のシャーシ４の底面に沿って延びる平坦部４０ｂと、平坦部４０ｂの一側面から起立して延びる押圧部４０ｃと、この押圧部４０ｃの自由端部の下端に設けられ、第２のシャーシ４の底面上を摺動する摺動片４０ｅとを有しており、これら各部は可撓性を有する合成樹脂によって一体成形されている。平坦部４０ｂと第２のシャーシ４間にはコイルばね４１が張架されており、第２の押圧部材４０はこのコイルばね４１によって図１８と図１９の時計回り方向へ回動付勢されている。また、押圧部４０ｃの自由端には規制板４２が両面接着テープ等を用いて固定されており、詳細な説明は省略するが、この規制板４２は第１の押圧部材２５の押圧部２５ｃに固定された規制板２７と同一構成となっている。さらに、平坦部４０ｂには透孔４０ｄが開設されており、回動アーム３６に形成された突起３６ａがこの透孔４０ｄ内に突出し、該透孔４０ｄの内周縁（係合部）に摺接しながら移動することにより、第２の押圧部材４０は回動アーム３６の回転に連動して回転動作されるようになっている。
【００３６】
回動アーム３６は第２のシャーシ４から突設された支軸４３を中心に回転可能であり、その一端に第２のシャーシ４に前後進可能に支持されたスライドカム板（スライド部材）３４が連結され、他端は欠歯歯車３７の裏面に形成された図示せぬカム溝に係合している。また、この欠歯歯車３７のカム溝には別の回動アーム４４が係合しており、この回動アーム４４に同じく第２のシャーシ４に前後進可能に支持されたスライドカム板（スライド部材）３３が連結されている。後述するように、駆動ユニット７は欠歯歯車３７からの駆動力によって駆動位置と退避位置との間を前後進するようになっており、この駆動ユニット７の移動と回動アーム３６の回転は欠歯歯車３７によってタイミングが取られている。そして、上記回動アーム３６，４４および欠歯歯車３７によって両スライドカム板３３，３４を同期させて前後進させる連結機構が構成されている。図１８は駆動ユニット７が退避位置にある状態を示しており、この場合、回動アーム３６の突起３６ａが透孔４０ｄの図示下方の内周縁（係合部）に当接しているため、第２の押圧部材４０は回転することができず、押圧部４０ｃの自由端に固定された規制板４２はストッカ２１に保持されたディスクＤの外周縁から離反している。一方、図１９は駆動ユニット７が駆動位置へ移動した状態を示しており、この場合、回動アーム３６の回転によって突起３６ａが透孔４０ｄ内を移動するため、第２の押圧部材４０はコイルばね４１によって時計回り方向へ微小回転し、規制板４２はディスクＤの搬送経路の下方位置（プレイ位置の選択ディスクＤの下方位置）にあるディスクＤの外周縁に圧接している。これにより、所望の選択ディスクＤがプレイ位置に引き出されたとき、この選択ディスクＤの下方位置にあるディスクＤは、第２の押圧部材４０の押圧部４０ｃの撓みによる弾発力とコイルばね４１の弾発力を受けて径方向の外側からストッカ２１に向けて付勢され、これらストッカ２１に保持されている各待機ディスクＤの振動により発生するラットルノイズが低減されるようになっている。したがって、所望の選択ディスクＤがプレイ位置に引き出されたとき、前述した第１の押圧部材２５とこの第２の押圧部材４０の両方によって、ストッカ２１に残された全ての待機ディスクＤを位置規制することができ、該待機ディスクＤの振動によって発生するラットルノイズを確実に低減することができる。なお、上記実施例では、主にコイルばね４１の弾発力により第２の押圧部材４０の押圧部４０ｃを待機ディスクＤに圧接させているが、この第２の押圧部材４０の透孔４０ｄの内周縁に形成された被押圧片４０ｆを突起３６ａで押圧することにより、押圧部４０ｃをさらに強く待機ディスクＤの外周縁に圧接させるようにしても良い。
【００３７】
図１５〜図１７に戻り、前述したドライブ駆動機構８についてさらに詳細に説明する。ドライブシャーシ３０の内部には、欠歯歯車３７の歯部３７ａに噛合して駆動力が伝達される第１のアイドラ歯車４５と、この第１のアイドラ歯車４５に常時噛合する上流側カム付き歯車４６と、この上流側カム付き歯車４６に常時噛合する第２のアイドラ歯車４７と、この第２のアイドラ歯車４７に常時噛合する第３のアイドラ歯車４８と、この第３のアイドラ歯車４８に常時噛合する下流側カム付き歯車４９とがそれぞれ軸支されており、上流側カム付き歯車４６のカム溝４６ａに係合する上流側アーム５０が駆動ユニット７の一端部を駆動し、下流側カム付き歯車４９のカム溝４９ａに係合する下流側アーム５１が駆動ユニット７の他端部を駆動するようになっている。各アーム５０，５１の先端部には駆動ピン５０ａ，５１ａが突設されており、一方の駆動ピン５０ａは、ドライブシャーシ３０の一側部に設けられた円弧状のガイド孔３０ａと、駆動ユニット７の一側部に設けられた横孔７ａとに挿通されている。同様に、他方の駆動ピン５１ａは、ドライブシャーシ３０の他側部に設けられた円弧状のガイド孔３０ｂと、駆動ユニット７の他側部に設けられた横孔７ｂとに挿通されている。
【００３８】
ドライブ駆動機構８は、欠歯歯車３７の歯部３７ａに第１のアイドラ歯車４５が噛合しているとき、欠歯歯車３７の回転力が各歯車群を介してアーム５０，５１に伝達されるため、駆動ユニット７をドライブシャーシ３０上で前進後退させることができる。このとき、欠歯歯車３７の回転力は該欠歯歯車３７のカム溝形状によって回動アーム３６と回動アーム４４には伝達されず、これら回動アーム３６と回動アーム４４は図１８に示す姿勢に停止している。一方、欠歯歯車３７の歯部３７ａに対して第１のアイドラ歯車４５が噛合していないとき、駆動ユニット７は前後進せずに駆動位置で停止したままとなり、このとき、欠歯歯車３７の回転力はそのカム溝形状に基づいて回動アーム３６と回動アーム４４に伝達され、これら回動アーム３６と回動アーム４４が回転することにより、後述するクランプ動作や防振モードへの切替動作が行われる。
【００３９】
図２０に示すように、第２のシャーシ４の一側面の内側には作動板５２が回転可能に支持されており、この作動板５２は前述したスライドカム板３４の前後進によって回転動作される。具体的には、スライドカム板３４の下端に設けられた突起３４ｃが作動板５２の下端縁に摺動しながら移動することにより、作動板５２の自由端側が図示上下方向へ回動動作する。スライドカム板３４にはカム孔５３ａと大径部５３ｂを有するロック孔５３が前後に一対設けられており、各ロックピン３２はロック孔５３を挿通して第２のシャーシ４の一側面に設けられた逃げ孔４ａ内に達している。図示省略されているが、第２のシャーシ４の他側面に配設されたスライドカム板３３も同様の構成となっている。図２０（ａ）〜（ｄ）は駆動ユニット７が駆動位置から退避位置へ移行する状態を順次示しており、図２０（ａ）に示すように、駆動ユニット７が駆動位置にあるとき、スライドカム板３４の突起３４ｃの位置に応じて作動板５２が下方へ回動されると共に、ロックピン３２がロック孔５３の大径部５３ｂを挿通して逃げ孔４ａ内に達しているため、ドライブシャーシ３０はダンパ部材３１とコイルばねを介して第２のシャーシ４に弾性的に支持された状態となり、この状態で選択ディスクＤのプレイ動作が行われる。そして、駆動ユニット７が駆動位置から退避位置へ移動することに伴い、スライドカム板３４が第２のシャーシ４の前方（図示左側）へ移動すると、図２０（ｂ）〜（ｄ）に示すように、作動板５２が突起３４ｃと摺動しつつ上方へ回動され、作動板５２の自由端側に形成された溝部５２ａがロックピン３２に嵌合すると共に、ロックピン３２がロック孔５３の大径部５３ｂからカム孔５３ａ内へ入り込むため、ドライブシャーシ３０は第２のシャーシ４に対して上下方向および前後方向へ固定的に支持された状態となる。上記したように、一対のスライドカム板３３，３４と作動板５２および前述した連結機構により、ドライブシャーシ３０を介して駆動ユニット７を筐体１内で弾性的に支持する状態と筐体１内で固定的に支持する状態に切替動作するドライブロック機構が構成されている。
【００４０】
スライドカム板３４の上端には突片３４ａが、また奥側の内側面には駆動片３４ｂがそれぞれ折り曲げ形成されており、突片３４ａは前述した第１の押圧部材２５の駆動部２５ｄと対向している（図１３と図１４参照）。また、スライドカム板３４の内側面にはカム板５４とロック板５５が順次積層されており、これらカム板５４とロック板５５はスライドカム板３４の前後進に連動して動作されるようになっている。カム板５４とスライドカム板３４との間にはコイルばね５６が張架されており、カム板５４はこのコイルばね５６によってスライドカム板３４の前方（図示左側）へ付勢されている。カム板５４には第２のシャーシ４の側面に植設されたピン５７と係合するガイド孔５４ａが形成されており、奥側の下端には駆動片５４ｂが折り曲げ形成されている。ロック板５５はカム板５４に揺動可能に支持されており、これらロック板５５とカム板５４との間にはコイルばね５８が張架されている。ロック板５５にはスライドカム板３４に植設されたピン５９と係脱可能なロック溝５５ａが形成されており、上端には前記ピン５７と係脱可能なカム部５５ｂが形成されている。
【００４１】
次に、駆動ユニット７の構成について説明する。図２１と図２２に示すように、駆動ユニット７はドライブシャーシ３０上に前後方向へ移動自在に載置された横長形状のブラケット６０を有し、前述した横孔７ａ，７ｂはこのブラケット６０に設けられている。ブラケット６０の中央部にはスピンドルモータ６１が取り付けられており、このスピンドルモータ６１の回転軸にはターンテーブル６２が固着されている。また、ブラケット６０には光学ピックアップ６３と支持板６４が搭載されており、これら光学ピックアップ６３と支持板６４はスピンドルモータ６１を介して対向配置されている。光学ピックアップ６３はスクリューシャフト６５に噛合しており、このスクリューシャフト６５を図示せぬスレッドモータを駆動源として回転することにより、光学ピックアップ６３はスクリューシャフト６５の軸線方向（ディスクＤの半径方向）へ移送されるようになっている。
【００４２】
支持板６４は断面コ字状に形成されており、この支持板６４は前述した第１の押圧部材２５の駆動部２５ｄの内側を前後進する（図１３と図１４参照）。支持板６４の上面先端にはクランパ６６が回転自在に支持されており、このクランパ６６とターンテーブル６２との間にディスクＤがチャッキングされる。支持板６４の下面両側に４本のピン６４ａが植設されており、これらピン６４ａはスライド板６７に設けられたカム孔６７ａとブラケット６０に設けられた縦孔６０ａに挿通されている。スライド板６７はブラケット６０に載置されており、その両側に植設された４本のピン６７ｂはブラケット６０に設けられた横孔６４ｂに挿通されている。また、ブラケット６０の下面に駆動板６８が回転可能に支持されており、スライド板６７は駆動板６８の回転によってブラケット６０上を水平方向（図２１，２２の左右方向）へ移動される。スライド板６７と駆動板６８との間には反転ばね６９が掛止されており、この反転ばね６９の付勢力によってスライド板６７は移動方向の両端部に安定的に保持されるようになっている。さらに、駆動板６８の一端に駆動ピン６８ａが植設されており、この駆動ピン６８ａはスライドカム板３４とカム板５４の方向へ突出している。
【００４３】
ディスクＤのクランプ動作を先の図２０を併用して説明すると、まず、図２０（ｄ）に示すように、スライドカム板３４が第２のシャーシ４の最も手前（図示左側）に移動しているとき駆動ユニット７は退避位置にあり、図２１（ｂ）に示すように、クランパ６６がターンテーブル６２から離反したクランプ解除状態となっている。このとき、ロック板５５のロック溝５５ａはスライドカム板３４のピン５９に係止されており、スライドカム板３４の駆動片３４ｂとカム板５４の駆動片５４ｂは前後方向に位置ずれして対向している。そして、駆動ユニット７が退避位置から駆動位置へ移動すると、駆動板６８の駆動ピン６８ａはカム板５４の駆動片５４ｂの真下を通ってスライドカム板３４の駆動片３４ｂに対峙するが、クランプ解除状態はそのまま維持される。
【００４４】
駆動ユニット７が駆動位置へ移動した後、回動アーム３６の回転によってスライドカム板３４が第２のシャーシ４の奥側へ移動すると、図２０（ｃ）に示すように、ロックピン３２がカム孔５３ａの下段から上段へと移動するため、ドライブシャーシ３０が駆動ユニット７と共に上昇する。また、スライドカム板３４のピン５９にロック板５５のロック溝５５ａが係止されることにより、スライドカム板３４と共に奥側へ移動するカム板５４がガイド孔５４ａとピン５７の係合によって図示時計方向へ微小回転し、水平姿勢を保ったまま第２のシャーシ４の奥側へ移動するため、この移動途中でカム板５４の駆動片５４ｂが駆動板６８の駆動ピン６８ａを押圧する。これにより、駆動板６８が図２１（ａ）の矢印Ａ方向へ回転してスライド板６７を矢印Ｂ方向へ移動するため、図２２に示すように、支持板６４がクランパ６６と共に下降し、クランパ６６がディスクＤを介してターンテーブル６２に圧接されたクランプ状態となる。
【００４５】
スライドカム板３４が第２のシャーシ４の奥側へさらに移動すると、図２０（ｂ）に示すように、ロック板５５のカム部５５ｂの上面が一方のピン５７に当接して下方へ回転し、ロック板５５のロック溝５５ａがピン５９から外れる。その結果、図２０（ａ）に示すように、カム板５４とロック板５５がコイルばね５６の弾発力によって図示左側へ移動し、スライドカム板３４とカム板５４の駆動片３４ｂ，５４ｂは駆動ピン６８ａから充分に離反する。前述したように、この場合、駆動ユニット７を搭載したドライブシャーシ３０は第２のシャーシ４に弾性的に支持された状態となり、この状態で選択ディスクＤのプレイ動作が行われる。
【００４６】
次に、上記の如く構成されたチェンジャ型ディスク装置の動作を説明する。なお、前述したように、本実施例に係るチェンジャ型ディスク装置は、外形寸法が８ｃｍのディスクＤ（小径ディスク）と１２ｃｍのディスクＤ（大径ディスク）をそれぞれ再生可能なディスク再生装置であるが、以下、ストッカ２１に収納された複数枚の大径ディスクＤを選択的に再生するプレイ動作について説明する。
【００４７】
各ストッカ２１に保持されている複数のディスクＤの中から所望の選択ディスクＤをプレイ動作する場合、まず、駆動ユニット７をストッカ２１から最も離れた退避位置（図１１参照）に移動させ、この状態で大径歯車１６を回転させ、所望の選択ディスクを保持したストッカ２１をディスクＤの搬送経路と同等の高さ位置まで上昇もしくは下降させる。このとき、図１３に示すように、駆動ユニット７の支持板６４の外側面が第１の押圧部材２５の駆動部２５ｄ先端に当接しているため、この第１の押圧部材２５は図示時計方向へ回動した状態でその位置が保持されており、ストッカ２１に保持されているディスクＤは第１の押圧部材２５からの押圧力が解除された状態となる。また、図１８に示すように、回動アーム３６が第２の押圧部材４０の回転を規制しているため、ストッカ２１に保持されているディスクＤは第２の押圧部材４０からの押圧力が解除された状態となる。したがって、ストッカ２１に保持されている全てのディスクＤを、第１および第２の押圧部材２５，４０に邪魔されることなく上昇もしくは下降することができる。
【００４８】
次いで、図示せぬ第３のモータを駆動源として欠歯歯車３７を図１８の反時計回り方向へ回転し、この欠歯歯車３７の回転力を歯部３７ａに噛合する第１のアイドラ歯車４５等の歯車群を介して各アーム５０，５１に伝達することにより、駆動ユニット７が退避位置からプレイ位置（図１２参照）に移動される。しかる後、前述した第１のモータを回転させ、スライド板１１，１２を含むガイド体間隔変更機構を駆動し、第１および第２のガイド部９，１０を互いに接近する方向に移動させる。そして、図４に示すように搬送プーリ１３と搬送ガイド体１５との間で選択された所望のディスクＤを挟持し、この状態で最奥の搬送プーリ１３ａを回転することにより、図５に示すように、選択されたディスクＤが駆動ユニット７で駆動可能なプレイ位置に引き出される。なお、選択ディスクＤがプレイ位置まで引き出されたか否かは、搬送ガイド体１５のガイド溝内に設置された図示しないスイッチがディスクＤの外周縁に押されることによって検知される。
【００４９】
駆動ユニット７が駆動位置まで移動した段階で欠歯歯車３７の歯部３７ａと第１のアイドラ歯車４５とが非噛合状態に移行し、欠歯歯車３７のさらなる回転に伴って各回動アーム３６，４４が回転することにより、各スライドカム板３３，３４が第２のシャーシ４の内側面を手前から奥側へと移動する。ここで、スライドカム板３４が図２０（ｄ）から同図（ｃ）に示す位置まで移動する間に、駆動ユニット７を搭載したドライブシャーシ３０が上昇するため、ターンテーブル６２の中央部がプレイ位置に引き出された選択ディスクＤの中心孔に入り込み、該選択ディスクＤのセンタリング動作が確実に行われる。さらに、カム板５４の駆動片５４ｂが駆動ピン６８ａを押圧して駆動板６８を回転するため、クランパ６６が支持板６４と共に下降し、ターンテーブル６２上にセンタリングされた選択ディスクＤをクランパ６６で圧着するクランプ動作が行われる。選択ディスクＤがターンテーブル６２上にチャッキングされた後、搬送プーリ１３と搬送ガイド体１５は互いに最も離反する方向へ移動されるため、図６に示すように、プレイ位置に引き出された選択ディスクＤは自由に回転することができる。
【００５０】
スライドカム板３４が図２０（ｃ）から同図（ｂ）を経て同図（ａ）に示す位置へ移動すると、前述したドライブロック手段によりドライブシャーシ３０を第２のシャーシ４に固定的に支持するロックモードを解放して、ダンパ部材３１等により弾性的に支持する防振モードへの切替動作が行われ、ドライブシャーシ３０に搭載された駆動ユニット７は、この防振モードでプレイ位置に引き出された選択ディスクＤを再生動作する。駆動ユニット７が退避位置から駆動位置へ移動するのに伴って、図１４に示すように、駆動ユニット７の支持板６４は第１の押圧部材２５の駆動部２５ｄから離反し、駆動部２５ｄの外側に位置していた突片３４ａがスライドカム板３４の移動に伴って第１の押圧部材２５の側縁を押圧するため、第１の押圧部材２５が反時計方向へ微小回転して規制板２７をプレイ位置に引き出された選択ディスクＤの上方位置にある全ての待機ディスクＤの外周縁に圧接する。また、図１９に示すように、スライドカム板３４を動作する回動アーム３６の回転に伴って、第２の押圧部材４０がコイルばね４１の弾発力を受けて時計方向へ微小回転するため、第２の押圧部材４０に固着された規制板４２がプレイ位置に引き出された選択ディスクＤの下方位置にある全ての待機ディスクＤの外周縁に圧接する。したがって、選択ディスクＤがプレイ位置に引き出されたとき、ストッカ２１に残された全ての待機ディスクＤを第１および第２の押圧部材２５，４０によって径方向（ストッカ２１方向）へ押圧して位置規制することができ、これら待機ディスクＤの振動によって発生するラットルノイズを低減することができる。
【００５１】
本実施例の場合はディスク収納部６が６つのストッカ２１を備えており、例えば、３段目のストッカ２１に保持されたディスクＤが選択されてプレイ位置に引き出されたとき、１，２段目のストッカ２１に保持された２枚の待機ディスクＤが第１の押圧部材２５によって位置規制され、４，５，６段目のストッカ２１に保持された３枚の待機ディスクＤが第２の押圧部材４０によって位置規制される。その際、第１の押圧部材２５の規制板２７にストッカ２１よりも１つ少ない数のテーパ溝２７ａが形成されると共に、各テーパ溝２７ａの間隔が送りねじ部材１９の螺旋状溝１９ａの上下両端部の等ピッチ部分と同じに設定され、第２の押圧部材４０の規制板４２も同様に構成されているため、ストッカ２１に残された全ての待機ディスクＤを径方向と厚み方向へ位置規制することができ、ラットルノイズの発生を確実に低減することができる。
【００５２】
また、プレイ位置に引き出された選択ディスクＤをストッカ２１に収納する場合は、まず欠歯歯車３７を上記と逆方向へ回転させることにより、各回動アーム３６，４４と各スライドカム板３３，３４を図１９から図１８に示す位置へ移動させる。そして、スライドカム板３４が図２０（ａ）から同図（ｄ）に示す位置へと移動する間に、クランプ解除動作や防振モードからロックモードへの移行動作が行われると共に、搬送プーリ１３と搬送ガイド体１５を接近させて最奥の搬送プーリ１３ａを逆回転することにより、プレイ位置に引き出された選択ディスクＤが空のストッカ２１に戻される。欠歯歯車３７がさらに逆方向へ回転して歯部３７ａが第１のアイドラ歯車４５に噛合すると、欠歯歯車３７の回転力が各アーム５０，５１に伝達されるため、駆動ユニット７は駆動位置から退避位置に移動し、ストッカ２１に保持されているディスクＤは再び第１および第２の押圧部材２５，４０からの押圧力が解除された状態となる。
【００５３】
なお、上記実施例では、第１および第２の押圧部材２５，４０に規制板２７，４２を各々固着し、これら規制板２７，４２をストッカ２１に保持されたディスクＤの周縁に圧接するようにしているが、規制板２７，４２は必ずしも設ける必要はなく、各押圧部材２５，４０の押圧部２５ｃ，４０ｃを直接ディスクＤに圧接させても良い。この場合、規制板２７，４２に形成されているテーパ溝を押圧部２５ｃ，４０ｃに形成することも可能である。また、各押圧部材２５，４０の形状や材質は適宜変更可能であり、駆動ユニット７が退避位置から駆動位置へ移動する際に、ストッカ２１に保持されたディスクＤの外周縁を挿入口２ａ側からストッカ２１側へ向けて押圧付勢できるものであれば良い。
【００５４】
【発明の効果】
本発明は、以上説明したような形態で実施され、以下に記載されるような効果を奏する。
【００５５】
駆動ユニットを駆動位置へ移動させて所望の選択ディスクをプレイ動作しているときに、ディスク収納部に残っている待機ディスクを押圧部材によって径方向へ押圧するようにしたので、プレイ動作中にディスク収納部に残っている待機ディスクが振動することによって発生するラットルノイズを低減することができ、また、駆動ユニットをドライブ駆動機構によって退避位置に移動するときに、該ドライブ駆動機構の動作に伴って押圧部材をディスクの外周縁から離反するようにしたため、ディスクをディスク収納部に収納する場合や、ディスク収納部に収納されたディスクを選択する場合に、押圧部材によってディスクの動きが妨げられることを防止できる。
【図面の簡単な説明】
【図１】実施例に係るチェンジャ型ディスク装置の内部機構を省略して示す断面図である。
【図２】第１のシャーシの内部機構を示す斜視図である。
【図３】ディスクのローディング開始状態を示す説明図である。
【図４】ディスクの収納状態を示す説明図である。
【図５】ディスクの引き出し状態を示す説明図である。
【図６】ディスクのプレイ状態を示す説明図である。
【図７】送りねじ部材の側面図である。
【図８】ストッカの斜視図である。
【図９】第１の押圧部材の斜視図である。
【図１０】規制板の説明図である。
【図１１】駆動ユニットの退避位置を示す平面図である。
【図１２】駆動ユニットの駆動位置を示す平面図である。
【図１３】第１の押圧部材とディスクの圧接解除状態を示す説明図である。
【図１４】第１の押圧部材とディスクの圧接状態を示す説明図である。
【図１５】第２のシャーシの内部機構を示す斜視図である。
【図１６】第２のシャーシの内部機構を示す平面図である。
【図１７】第２のシャーシの内部機構の一部を省略して示す平面図である。
【図１８】第２の押圧部材とディスクの圧接解除状態を示す説明図である。
【図１９】第２の押圧部材とディスクの圧接状態を示す説明図である。
【図２０】ドライブ駆動機構の動作説明図である。
【図２１】駆動ユニットのクランプ解除状態を示す説明図である。
【図２２】駆動ユニットのクランプ状態を示す説明図である。
【符号の説明】
１  筐体
２  ノーズ部材
２ａ  挿入口
３  第１のシャーシ
４  第２のシャーシ
５  ディスク搬送機構
６  ディスク収納部
７  駆動ユニット
８  ドライブ駆動機構
１６  大径歯車
１９  送りねじ部材
１９ａ  螺旋状溝
２０  小歯車
２１  ストッカ
２１ａ  凸部
２２  孔
２５  第１の押圧部材
２５ａ  支軸部
２５ｂ  平坦部
２５ｃ  押圧部
２５ｄ  駆動部
２６  板ばね
２７  規制板
２７ａ  テーパ溝
３０  ドライブシャーシ３０
３３  スライドカム板
３４  スライドカム板
３４ａ  突片
３６  回動アーム
３６ａ  突起
３７  欠歯歯車
４０  第２の押圧部材
４０ａ  支軸部
４０ｂ  平坦部
４０ｃ  押圧部
４０ｄ  透孔
４１  コイルばね
４２  規制板
６０  ブラケット
６１  スピンドルモータ
６２  ターンテーブル
６３  光学ピックアップ
６４  支持板
６６  クランパ
６８  駆動板
Ｄ  ディスク
【図１】
0003753649.tif 000002
【図２】
0003753649.tif 000003
【図３】
0003753649.tif 000004
【図４】
0003753649.tif 000005
【図５】
0003753649.tif 000006
【図６】
0003753649.tif 000007
【図７】
0003753649.tif 000008
【図８】
0003753649.tif 000009
【図９】
0003753649.tif 000010
【図１０】
0003753649.tif 000011
【図１１】
0003753649.tif 000012
【図１２】
0003753649.tif 000013
【図１３】
0003753649.tif 000014
【図１４】
0003753649.tif 000015
【図１５】
0003753649.tif 000016
【図１６】
0003753649.tif 000017
【図１７】
0003753649.tif 000018
【図１８】
0003753649.tif 000019
【図１９】
0003753649.tif 000020
【図２０】
0003753649.tif 000021
【図２１】
0003753649.tif 000022
【図２２】
0003753649.tif 000023